(57)【要約】【目的】  本発明の目的は、回動扉を取り付けた状態で回動扉を枠体に対して位置調整することができる回動扉の取付構造を提供する。【構成】  枠体１０の縦枠部の下端部に取り付けられる取付部１００ｂと、回動扉２０の下端部に各々取り付けられる回動部２００ｂとを具備し、取付部１００ｂに設けられた回動軸１０１ｂ( 図４参照) に回動部２００ｂが回動自在に支持された回動扉の取付構造であって、回動部２００ｂは、取付部１００ｂの回動軸１０１ｂに回動自在に取り付けられるベース部２１０ｂと、ベース部２１０ｂ上に配設されており且つ回動扉２０の下端部の枠体対向部位に設けられた凹部に嵌まり込む嵌合部２２０ｂと、この嵌合部２２０ｂをベース部２１０ｂに対して回動扉の厚み方向及び幅方向に移動自在にする移動手段２３０ｂと、取付部１００ｂの回動部２００ｂに対する支持位置を高さ調整可能にする高さ調整手段２４０ｂとを有する。【選択図】      図３
2006037419.tif 000002
【特許請求の範囲】
【請求項１】
回動扉を取り付けるための枠体に取り付けられる取付部と、回動扉の端部に取り付けられる回動部とを具備しており、前記取付部に設けられた回動軸に前記回動部が回動自在に支持された回動扉の取付構造において、
前記回動部は、前記取付部の回動軸に回動自在に取り付けられるベース部と、このベース部上に配設されており且つ回動扉の端部の枠体対向部位に設けられた凹部に嵌まり込む嵌合部と、この嵌合部を前記ベース部に対して少なくとも回動扉の厚み方向に移動自在にする移動手段とを有することを特徴とする回動扉の取付構造。
【請求項２】
請求項１記載の回動扉の取付構造において、前記移動手段は、前記ベース部に固着されており且つ回動扉の幅方向に対して斜めに向いたレールを有するレール部と、このレール部のレール上を移動可能な移動部と、前記嵌合部を貫通すると共に、前記移動部に螺合した第１のネジ部とを有することを特徴とする回動扉の取付構造。
【請求項３】
前記移動手段が前記嵌合部を前記ベース部に対して回動扉の幅方向に移動させる機能を有した請求項１記載の回動扉の取付構造において、前記移動手段は前記レール部を前記回動部のベース部に固着するための固定部と、前記嵌合部を回動扉の幅方向に貫通すると共に、前記固定部に螺合した第２のネジ部とを有することを特徴とする回動扉の取付構造。
【請求項４】
回動扉を取り付けるための枠体に取り付けられる取付部と、回動扉の端部に取り付けられる回動部とを具備しており、前記取付部に設けられた回動軸に前記回動部が回動自在に支持された回動扉の取付構造において、前記取付部の前記回動部に対する支持位置を高さ調整可能にする高さ調整手段を備えたことを特徴とする回動扉の取付構造。
【請求項５】
請求項４記載の回動扉の取付構造において、前記高さ調整手段は、前記回動部に設けられており且つ前記取付部の回動軸が嵌まり込むネジ孔と、このネジ孔に螺合するネジであって、前記取付部の回動軸に当接するネジ部材とを有することを特徴とする回動扉の取付構造。
【請求項６】
前記回動部に設けられた筒体の内部にネジ溝を設け、前記ネジ孔とした請求項５記載の回動扉の取付構造において、前記高さ調整手段は、前記筒体に被せるキャップを有しており、前記筒体には回動扉の長さ方向に沿って溝部が、前記ネジ部材には前記筒体の溝部と連通する凹部が回動扉の長さ方向に沿って設けられており、前記キャップの内部には、前記筒体の溝部及びネジ部材の凹部に係合可能な係合片が設けられていることを特徴とする回動扉の取付構造。
【発明の詳細な説明】
【技術分野】
【０００１】
本発明は、回動扉を枠体に回動自在に取り付ける回動扉の取付構造に関する。
【背景技術】
【０００２】
この種の回動扉の取付構造としては、回動扉を取り付けるための枠体に取り付けられる取付部と、回動扉の端部に取り付けられる回動部とを具備しており、前記取付部に設けられた回動軸に前記回動部が回動自在に支持されたものがある( 特許文献１参照) 。
【０００３】
【特許文献１】特開２００３−２３９６０９号公報
【発明の開示】
【発明が解決しようとする課題】
【０００４】
しかしながら、前記回動扉の取付構造は、回動扉を枠体に取り付けた状態で、回動扉を枠体に対して位置調整することができない。このため、回動扉の取付作業が困難になるという問題を有している。
【０００５】
本発明は、上記事情に鑑みて創案されたものであって、その目的とするところは、回動扉を取り付けた状態で回動扉を枠体に対して位置調整することができる回動扉の取付構造を提供することにある。
【課題を解決するための手段】
【０００６】
上記課題を解決するために、本発明の回動扉の取付構造は、回動扉を取り付けるための枠体に取り付けられる取付部と、回動扉の端部に取り付けられる回動部とを具備しており、前記取付部に設けられた回動軸に前記回動部が回動自在に支持された回動扉の取付構造であって、前記回動部は、前記取付部の回動軸に回動自在に取り付けられるベース部と、このベース部上に配設されており且つ回動扉の端部の枠体対向部位に設けられた凹部に嵌まり込む嵌合部と、この嵌合部を前記ベース部に対して少なくとも回動扉の厚み方向に移動自在にする移動手段とを有することを特徴としている。
【０００７】
前記移動手段は、前記ベース部に固着されており且つ回動扉の幅方向に対して斜めに向いたレールを有するレール部と、このレール部のレール上を移動可能な移動部と、前記嵌合部を貫通すると共に、前記移動部に螺合した第１のネジ部とを有する。
【０００８】
前記移動手段が前記嵌合部を前記ベース部に対して回動扉の幅方向に移動させる機能を有している場合、前記移動手段は前記レール部を前記回動部のベース部に固着するための固定部と、前記嵌合部を貫通すると共に、前記固定部に螺合した第２のネジ部とを有する。
【０００９】
本発明の別の回動扉の取付構造は、回動扉を取り付けるための枠体に取り付けられる取付部と、回動扉の端部に取り付けられる回動部とを具備しており、前記取付部に設けられた回動軸に前記回動部が回動自在に支持された回動扉の取付構造において、前記取付部の前記回動部に対する支持位置を高さ調整可能にする高さ調整手段を備えたことを特徴としている。
【００１０】
前記高さ調整手段は、前記回動部に設けられており且つ前記取付部の回動軸が嵌まり込むネジ孔と、このネジ孔に螺合するネジであって、前記取付部の回動軸に当接するネジ部材とを有する。
【００１１】
前記回動部に設けられた筒体の内部にネジ溝を設け、前記ネジ孔としている場合、前記高さ調整手段は、前記筒体に被せるキャップを有しており、前記筒体には回動扉の長さ方向に沿って溝部が、前記ネジ部材には前記筒体の溝部と連通する凹部が回動扉の長さ方向に沿って設けられており、前記キャップの内部には、前記筒体の溝部及びネジ部材の凹部に係合可能な係合片が設けられていることが好ましい。
【発明の効果】
【００１２】
本発明の請求項１に係る回動扉の取付構造による場合、移動手段を操作することにより回動扉の端部の枠体対向部位に設けられた凹部に嵌まり込む嵌合部を、取付部の回動軸に回動自在に取り付けられるベース部に対して回動扉の厚み方向に移動させることができる。これにより、回動扉を枠体に取り付けた状態で当該回動扉を回動扉の厚み方向に位置調整することができるので、回動扉の取り付け作業が容易になる。
【００１３】
本発明の請求項２に係る回動扉の取付構造による場合、第１のネジ部を回転させることにより移動部がレール部上を回動扉の幅方向に対して斜めに移動する。この移動部は第１のネジ部により嵌合部と連結されているので、当該移動部の移動に伴って嵌合部が回動扉の厚み方向に移動する。このように簡単な構成で前記移動手段を実現することが可能であるので、低コスト化を図る上でメリットがある。
【００１４】
本発明の請求項３に係る回動扉の取付構造による場合、前記レール部を前記回動部のベース部に固着するための固定部に螺合した第２のネジ部を回転させることにより当該第２のネジ部が前進又は後進する。この移動に伴って嵌合部が回動扉の幅方向に移動する。よって、回動扉を枠体に取り付けた状態で当該回動扉を回動扉の幅方向に位置調整することができるので、回動扉の取り付け作業が更に容易になる。
【００１５】
本発明の請求項４に係る回動扉の取付構造による場合、高さ調整手段を操作することにより取付部の回動部に対する支持位置を高さ調整することができる。これにより、回動扉を枠体に取り付けた状態で当該回動扉を回動扉の長さ方向に位置調整することができるので、回動扉の取り付け作業が容易になる。
【００１６】
本発明の請求項５に係る回動扉の取付構造による場合、取付部の回動軸に当接したネジ部材を回転させると、ネジ孔が回動扉の長さ方向に沿って上下動するようになっている。このネジ孔の移動に伴って回動部が取付部から離れる方向又は近づく方向に移動する。これにより、取付部の回動部に対する支持位置を高さ調整することができる。このように簡単な構成で前記高さ調整手段を実現することが可能であるので、低コスト化を図る上でメリットがある。
【００１７】
本発明の請求項６に係る回動扉の取付構造による場合、キャップを筒体に被せるだけで、当該キャップの内部の係合片が、前記筒体の溝部及びネジ部材の凹部に係合し、これによりネジ部材が回転することにより位置ずれするのを防止することができる。
【発明を実施するための最良の形態】
【００１８】
以下、本発明の実施の形態に係る回動扉の取付構造についてする。
【実施例１】
【００１９】
まず、本発明の第１の実施の形態に係る回動扉の取付構造について図面を参照しながら説明する。図１は本発明の第１の実施の形態に係る回動扉の取付構造の回動扉及び枠体との取付関係を示す模式的正面図、図２は同取付構造の下側の取付構造の斜視図、図３は同下側の取付構造の取付状態を示す図であって、( ａ) が縦断面図、( ｂ) が横断面図、図４は同下側の取付構造の高さ調整手段を断面図で示した正面図であって、( ａ) が調整前の図、( ｂ) が調整後の図、図５は同取付構造の分解斜視図、図６は同取付構造の上側の取付構造の斜視図、図７は同上側の取付構造の取付手段を断面図で示した正面図であって、( ａ) が取付前の図、( ｂ) が取付後の図、図８は同上側の取付構造の分解図である。      
【００２０】
図１に示す回動扉の取付構造は、矩形状の枠体１０の一方の縦枠部に矩形状の回動扉２０を回動自在に取り付ける取付構造であって、回動扉２０の上端部を枠体１０の縦枠部の上端部に取り付けるための上側の取付構造Ａと、回動扉２０の下端部を枠体１０の縦枠部の下端部に取り付けるための下側の取付構造Ｂとを有する。以下、詳しく説明する。
【００２１】
下側の取付構造Ｂは、図２、図３及び図４に示すように、枠体１０の縦枠部の下端部に取り付けられる取付部１００ｂと、回動扉２０の下端部に取り付けられる回動部２００ｂとを具備しており、取付部１００ｂに設けられた回動軸１０１ｂ( 図４参照) に回動部２００ｂが回動自在に支持されるようになっている。
【００２２】
取付部１００ｂは、断面視略Ｌ字状の金属製の板材であって、枠体１０の縦枠部の下端部にネジ止めされるネジ止め部１１０ｂと、このネジ止め部１１０ｂに連なる水平部１２０ｂとを有する。水平部１２０ｂには、図４に示すように、回動軸１０１ｂが嵌まり込む開口が設けられている。即ち、水平部１２０ｂの開口にピンを取り付けて回動軸１０１ｂとしている。
【００２３】
回動部２００ｂは、図２、図３及び図５に示すように、取付部１００ｂの回動軸１０１ｂに回動自在に取り付けられるベース部２１０ｂと、このベース部２１０ｂ上に配設されており且つ回動扉２０の下端部の枠体対向部位に設けられた凹部( 図示せず) に嵌まり込む嵌合部２２０ｂと、この嵌合部２２０ｂをベース部２１０ｂに対して回動扉の厚み方向及び幅方向に移動自在にする移動手段２３０ｂと、取付部１００ｂの回動部２００ｂに対する支持位置を高さ調整可能にする高さ調整手段２４０ｂとを有している。
【００２４】
ベース部２１０ｂは、図５に示すように、金属製の板材であって、一端部に嵌合部２２０ａの係合部２２３ｂに嵌まり込む凸部２１１ｂが設けられている。このベース部２１０ｂの中央部には、移動手段２３０ｂの固定部２３２ｂが嵌合する一対のスリット２１２ｂ、２１２ｂが形成されている。さらに、ベース部２１０ｂの他端部には取付部１００ｂの回動軸１０１ｂが高さ調整手段２４０ｂの筒体２４１ｂと共にが嵌まり込む開口２１３ｂが設けられたウィング部を有している。
【００２５】
嵌合部２２０ｂは下面が開口した内部中空の矩形状のケース体であって、移動手段２３０ｂの第１、第２のネジ部２３５ｂ、２３３ｂが嵌合部の長手方向に貫通する。よって、嵌合部２２０ｂの長手方向の両側面には、第１のネジ部２３５ｂが挿入される第１の孔部２２１ｂ、２２１ｂと、この第１の孔部２２１ｂ、２２１ｂの下側に位置し、第２のネジ部２３３ｂが挿入される第２の孔部２２２ｂ、２２２ｂとが設けられている。第２の孔部２２２ｂは嵌合部の端手方向に伸びた長孔である。第２の孔部２２２ｂ、２２２ｂを長孔としたのは、後述する第１のネジ部２３５ｂの回転による嵌合部２２０ｂを回動扉の厚み方向の移動を第２のネジ部２３３ｂによって妨げさせないようにするためである。
【００２６】
また、嵌合部２２０ｂの端手方向の一側面には、ベース部２１０ｂの凸部２１１ｂが嵌まり込む係合部２２３ｂが設けられている。この係合部２２３ｂは嵌合部の長手方向に伸びた矩形状の長孔であって、内部で凸部２１１ｂが移動可能になっている( 図３( ｂ) 参照) 。
【００２７】
嵌合部２２０ｂは、上面の一部が嵌合部の長手方向の一の側面と水平になるように切り起こされており、この起立部２２４ｂが回動扉２０の下端部の端面にネジ止めされるネジ止め部となる( 図３( ａ) 参照) 。また、嵌合部２２０ｂには、長手方向の他の側面の下端に上面と平行に突出したネジ止め部２２５ｂが設けられている。このネジ止め部２２５ｂが回動扉２０の下端部の底面にネジ止めされる( 図３参照) 。
【００２８】
移動手段２３０ｂは、図３及び図５に示すように、回動扉２０の幅方向に対して斜めに向いたレール２３１１ｂを有するレール部２３１ｂと、このレール部２３１ｂを回動部２００ｂのベース部２１０ｂに固着するための固定部２３２ｂと、嵌合部２２０ｂ、レール部２３１ｂを貫通すると共に、固定部２３２ｂに螺合する第２のネジ部２３３ｂと、レール部２３１ｂ上を移動可能な移動部２３４ｂと、嵌合部２２０ｂを貫通すると共に、移動部２３４ｂに螺合した第１のネジ部２３５ｂとを有する。
【００２９】
レール部２３１ｂは、側面視角張った略Ｏ字状の部品であって、両端部に各々連なる三角辺の一辺同士を互いに当接するように設け、これにより回動扉２０の幅方向に対して斜めに向けたレール２３１１ｂとしている。このレール部２３１ｂの下面には、矩形状の開口が設けられている。この開口に固定部２３２ｂの先端部が挿入される。また、レール部２３１ｂの両端部には第２のネジ部２２３ｂが挿入される孔部が各々設けられている。
【００３０】
固定部２３２ｂは、側面視略凹字状の部品であって、両先端部にネジ孔が各々設けられている。即ち、固定部２３２ｂの先端部はベース部２１０ｂのスリット２１２ｂに挿入され、レール部２３１ｂの開口に挿入された状態で、第２のネジ部２３３ｂに螺合される。このようにしてレール部２３１ｂをベース部２１０ｂに固着し、当該レール部２３１ｂを嵌合部２２０ｂ内に配置する。
【００３１】
第２のネジ部２３３ｂは、嵌合部２２０ｂの第２の孔部２２２ｂ、２２２ｂ及びレール部２３１ｂの孔部に挿入されるとと共に、固定部２３２ｂのネジ孔に螺合される。この第２のネジ部２３３ｂを回転させると、当該第２のネジ部２３３ｂがベース部２１０ａに固定された固定部２３２ｂのネジ孔を前進又は後進する。この第２のネジ部２３３ｂの移動と共に嵌合部２２０ｂがベース部２１０ｂ上を回動扉の幅方向に移動する。
【００３２】
移動部２３４ｂは、側面視略凹字状の部品であって、下端部にレール部２３１ｂのレール２３１１ｂが嵌まり込む溝部２３４１ｂが設けられている。この移動部２３４ｂの両端部には、第１のネジ部２３５ｂが挿入される孔部が各々設けられている。移動部２３４ｂの孔部の間には、図示しないナットを介在させる。このナットが第１のネジ部材２３５ｂに螺合され、当該第１のネジ部材２３５ｂの回転に応じて移動することにより、移動部２３４ｂが移動可能になっている。
【００３３】
第１のネジ部２３５ｂは、嵌合部２２０ｂの第１の孔部２２２ｂ、２２２ｂ及び移動部２３４ｂの孔部に挿入されると共に、移動部２３４ｂの孔部の間のナットに螺合される。この第１のネジ部２３５ｂを回転させることにより移動部２３４ｂがレール部２３１ｂのレール２３１１ｂに沿って移動し、これにより嵌合部２２０ｂが回動扉の厚み方向に移動する。
【００３４】
高さ調整手段２４０ｂは、ベース部２１０ｂの開口２１３ｂに取り付けられる内部にネジ溝が形成された筒体２４１ｂと、この筒体２４１ｂに螺合するネジ部材２４２ｂと、筒体２４１ｂに被せるキャップ２４３ｂとを有している。
【００３５】
筒体２４１ｂは円筒体であって、その周面に回動扉の長さ方向に沿って溝部２４１１ｂが形成されている( 図５参照) 。
【００３６】
ネジ部材２４２ｂは、図４に示すように、断面視略逆凹字状の部品であって、筒体２４１ｂの下側の開口から挿入された取付部１００ｂの回動軸１０１ｂが嵌合する( 即ち、当接) ようになっている。このネジ部材２４２ｂを回転させると、筒体２４１ｂが当該ネジ部材２４２ｂに沿って上下動し、この移動に伴って回動部２００ｂのベース部２１０ｂの取付部１００ｂに対する高さ位置が変位する。このようにして取付部１００ｂの回動部２００ｂに対する支持位置を高さ調整する。なお、ネジ部材２４２ｂの周面には筒体２４１ｂの溝部２４１１ｂと連通する凹部２４２１ｂが回動扉の長さ方向に沿って設けられている( 図５参照) 。
【００３７】
キャップ２４３ｂは、図４及び図５に示すように、樹脂製のキャップであって、筒体２４１ｂの溝部２４１１ｂ及びネジ部材２４２ｂの凹部２４２１ｂに係合可能な係合片２４３１ｂが設けられている。即ち、筒体２４１ｂの溝部２４１１ｂとネジ部材２４２ｂの凹部２４２１ｂとが連通するように位置合わせをし、その後、キャップ２４３ｂの係合片２４３１ｂが筒体２４１ｂの溝部２４１１ｂ及びネジ部材２４２ｂの凹部２４２１ｂに係合されるように被せる。これにより、ネジ部材２４２ｂの位置決めが行われるので、当該ネジ部材２４２ｂが振動などにより回転して取付部１００ｂの回動部２００ｂに対する支持位置が不用意に変わるのを防止することができる。
【００３８】
上側の取付構造Ａは、図６に示すように、下側の取付構造Ｂとほぼ同様の構成となっており、異なる部分は高さ調整手段２４０ｂの代わりに取付手段３００ａが設けられている点である。以下、取付手段３００ａについて詳しく説明し、重複する部分は説明を省略する。
【００３９】
取付手段３００ａは、図７及び図８に示すように、回動部２００ａのベース部２１０ａの開口２１３ａに嵌まり込み、当該回動部２００ａを取付部１００ａに取付させるための機構である。この取付手段３００ａは、開口２１３ａに嵌まり込む上面開口の筒体３１０ａと、この筒体３１０ａの開口に取り付けられる筒状のキャップ３２０ａと、筒体３１０ａに移動自在に嵌まり込む突出部３３０ａと、この突出部３３０ａをキャップ３２０ａから突出する方向に付勢する付勢手段３４０ａと、キャップ３２０ａに取り付けられており且つ突出部３３０ａがキャップ３２０ａから突出するのを防止する突出防止部材３５０ａと、突出部３３０ａを筒体３１０ａ内でスムーズに移動させるための一対の球体部３６０ａ、３６０ａとを有している。
【００４０】
筒体３１０ａは、上面開口の円筒状の部品であって、内部の奥側部分に設けられた小径部３１１ａと、内部の開口側部分に設けられており且つ小径部３１１ａに連続する大径部３１２ａとを有している。この筒体３１０ａの下面には、突出部３３０ａの棒体部３３２ａが突出する開口３１３ａが設けられている。
【００４１】
突出部３３０ａは、筒体３１０ａの小径部３１１ａの径よりも小さい外径を有する筒体部３３１ａと、この筒体部３３１ａに移動自在に嵌まり込む棒体部３３２ａと、この棒体部３３２ａの先端部に取り付けられるピン部３３３ａとを有している。
【００４２】
筒体部３３１ａは、付勢手段３４０ａの付勢力により筒体３１０ａの内部に押し込められた収納位置から筒体３１０ａから突出する突出位置にかけて棒体部３３２ａと共に移動する部品であって、突出位置に位置した状態で取付部１００ａの水平部１２０ａの開口１２１ａに嵌まり込み可能となっている。このように筒体部３３１ａが取付部１００ａの水平部１２０ａの開口１２１ａに嵌まり込むことにより、回動部２００ａを取付部１００ａに取付することができる。
【００４３】
棒体部３３２ａは、筒体部３３１ａと共に筒体３１０ａの内部を移動する部品であって、筒体部３３１ａが突出位置に位置すると、付勢手段３４０ａの付勢力により当該筒体部３３１ａ内を移動し、これにより先端部が当該筒体部３３１ａから突出するようになっている。この棒体部３３２ａの先端部には、ピン部３３３ａを取り付けるための取付穴３３２１ａが設けられている。また、棒体部３３２ａの中間部には、突出位置で先端部が筒体部３３１ａから突出すると、当該筒体部３３１ａに覆われる位置に凹部３３２２ａが設けられている。この凹部３３２２ａは突出した先端部を筒体部３３１ａ内に押し込むと、当該筒体部３３１ａから露出し、これにより球体部３６０ａ、３６０ａが嵌まり込むようになっている。更に、棒体部３３２ａの中間部には、凹部３３２２ａの下方に付勢手段３４０ａのプッシュナット３４１ａが当接する当接部３３２３ａが設けられている。ピン部３３３ａは、外周縁部が拡径しており、筒体部３３１ａの上端面に当接可能になっている。
【００４４】
球体部３６０ａ、３６０ａは突出部３３０ａの棒体部３３２ａと筒体３１０ａの内周面との間に筒体の長さ方向に移動自在に介在する鋼球である。この球体部３６０ａ、３６０ａは、筒体部３３１ａ及び棒体部３３２ａが突出位置に位置し、当該棒体部３３２ａの先端部が当該筒体部３３１ａから突出した状態( 即ち、筒体部３３１ａが棒体部３３２ａの凹部３３２２ａを覆った状態）で、棒体部３３２ａの当接部３３２３ａの側面と筒体３１０ａの小径部３１１ａと大径部３１２ａとの間の段差部との間に位置する。即ち、球体部３６０ａ、３６０ａが筒体３１０ａの小径部３１１ａと大径部３１２ａとの間の段差部に係止され、筒体部３３１ａの下端面に当接することにより、筒体部３３１ａが筒体３１０ａ内に不用意に引き込まれないようにしている。この状態から棒体部３３２ａの先端部を収納位置に向けて押圧し、当該棒体部３３２ａを筒体部３３１ａ内で収納位置に向けて移動させると、当該棒体部３３２ａの凹部３３２２ａが露出し、この凹部３３２２ａに球体部３６０ａ、３６０ａが嵌まり込む。これにより棒体部３３２ａ及び球体部３６０ａ、３６０ａが筒体３１０ａの小径部３１１ａ内を移動可能になり、当該棒体部３３２ａ及び筒体部３３１ａを収納位置に向けて移動させることが可能になる。
【００４５】
付勢手段３４０ａは、筒体３１０ａの内部に嵌まり込み、突出部３３０ａの棒体部３３２ａの当接部３３２３ａに当接するリング状のプッシュナット３４１ａと、筒体３１０ａの内部に配置され、プッシュナット３４１ａを筒体３１０ａの開口に向けて付勢するコイルバネ３４２ａとを有している。コイルバネ３４２ａは、プッシュナット３４１ａを介して棒体部３４１ａを付勢すると共に、当該棒体部３４１ａ及び球体部３６０ａ、３６０ａを介して筒体部３３１ａを付勢する。
【００４６】
突出防止部材３５０ａは、略逆Ｕ字状の部品であって、キャップ３２０ａの開口を跨ぐように当該キャップ３２０ａに回動可能に取り付けられる。この突出防止部材３５０ａは起立状態で突出部３３０ａの棒状部３３２の先端部に取り付けられたピン部３３３ａが当接し、これにより突出部３３０ａの突出を防止している。この突出防止部材３５０ａを起立状態から倒すと、突出部３３０ａが突出する。
【００４７】
このように構成された回動扉の取付構造は次のように枠体１０及び回動扉２０に取り付けられる。まず、上側の取付構造Ａの取付部１００ａと、下側の取付構造Ｂの取付部１００ｂとを枠体１０の縦枠部に各々取り付ける。一方、上側の取付構造Ａの回動部２００ａの嵌合部２２０ａと、下側の取付構造Ｂの回動部２００ｂの嵌合部２２０ｂとを回動扉２０の凹部に嵌合させ、これにより回動部２００ａ、２００ｂを回動扉２０に取り付ける。
【００４８】
その後、回動扉２０を持ち、図４に示すように、下側の取付構造Ｂの回動部２００ｂのベース部２１０ｂの開口２１３ｂに、取付部１００ｂの回動軸１０１ｂを挿入して当該開口２１３ｂに取り付けられた高さ調整手段２４０ｂのネジ部材２４２ｂに嵌合させる。これにより下側の取付構造Ｂの回動部２００ｂが取付部１００ｂに回動扉２０と共に取り付けられ、支持される。
【００４９】
そして、図７に示すように、上側の取付構造Ａの回動部２００ａのベース部２１０ａに取り付けられた取付手段３００ａの突出部３３０ａを、取付部１００ａの水平部１２０ａの開口１２１ａに位置合わせをしつつ、取付手段３００ａの突出防止部材３５０ａを水平部１２０ａに当接させて倒す。すると、突出部３３０ａが付勢手段３４０ａの付勢力により突出して水平部１２０ａの開口１２１ａに嵌まり込む。これにより上側の取付構造Ａの回動部２００ａが取付部１００ａに回動扉２０と共に取り付けられ、支持される。
【００５０】
その後、回動扉２０の枠体１０に対する回動扉の厚み方向の位置調整を行う場合には、上側、下側の取付構造Ａ、Ｂの移動手段２３０ａ、２３０ｂの第１のネジ部２３５ａ、２３５ｂを各々回転させる。すると、第１のネジ部２３５ａ、２３５ｂに螺合された移動部２３４ａ、２３４ｂがレール部２３１ａ、２３１ｂのレール２３１１ａ、２３１１ｂ上を各々移動し、これにより嵌合部２２０ａ、２２０ｂが回動扉２０と共にを回動扉の厚み方向に各々移動する。
【００５１】
回動扉２０の枠体１０に対する回動扉の幅方向の位置調整を行う場合には、上側、下側の取付構造Ａ、Ｂの移動手段２３０ａ、２３０ｂの第２のネジ部２３３ａ、２３３ｂを各々回転させる。すると、第２のネジ部２３３ａ、２３３ｂが固定部２３２ａ、２３２ｂのネジ孔を前進又は後進し、当該第２のネジ部２３３ａ、２３３ｂの移動により、嵌合部２２０ａ、２２０ｂが回動扉２０と共に回動扉の厚み方向に移動する。
【００５２】
回動扉２０の枠体１０に対する回動扉の幅方向の位置調整を行う場合には、下側の取付構造Ｂの高さ調整手段２４０ｂのキャップ２４３ｂを取り外し、ネジ部材２４２ｂを回転させる。これによりネジ部材２４２ｂが筒体２４１ｂ内を前進又は後進し、筒体２４１ｂが取り付けられた回動部２００ｂのベース部２１０ｂが、取付部１００ｂに対して離れる方向又は近づく方向に移動する。
【００５３】
このような回動扉の取付構造による場合、回動扉２０を枠体１０に取り付けた状態で、回動扉２０の枠体１０に対する取付位置を回動扉の厚み方向、幅方向、長さ方向に位置調整することができる。このため、回動扉２０を精度良く枠体１０に取り付ける必要がなく、取付作業が容易になる。
【実施例２】
【００５４】
次に、本発明の第２の実施の形態に係る回動扉の取付構造について図面を参照しながら説明する。図９は本発明の第２の実施の形態に係る回動扉の取付構造の上側の取付構造の高さ調整手段を断面図で示した正面図であって、( ａ) が調整前の図、( ｂ) が調整後の図、図１０は同上側取付構造の高さ調整手段の基部の上端部を示す図であって、( ａ) が平面図、( ｂ) が左半分を断面図で示した正面図、図１１は同上側取付構造の高さ調整手段の取付部の上端部を示す図であって、( ａ) が平面図、( ｂ) が左半分を断面図で示した正面図である。
【００５５】
ここに掲げる回動扉の取付構造は、実施例１の取付構造とほぼ同じ構成となっている。異なる点は上側の取付構造Ａの取付手段である。以下、この取付手段について詳しく説明し、重複する部分は説明を省略する。なお、ここでの取付手段の符号は４００ａとする。
【００５６】
図９に示す取付手段４００ａは、回動部２００ａのベース部２１０ａの開口２１３ａに嵌まり込む筒状の基部４２０ａと、この基部４２０ａが嵌まり込む上面開口の筒体４１０ａと、筒体４１０ａに移動自在に嵌まり込み、上端部が基部４２０ａの開口から突出可能な突出部４３０ａと、この突出部４３０ａを基部４２０ａから突出させる方向に付勢する付勢手段４４０ａと、突出部４３０ａが基部４２０ａから突出するのを防止する突出防止部材４５０ａとを有している。
【００５７】
筒体４１０ａの下面には、突出部４３０ａの棒状部４３２ａの下端部が挿入可能な開口４１１ａが設けられている。この筒体４１０ａの下端部には、開口４１１ａを覆う下キャップ４１２ａが取り付けられる。
【００５８】
基部４２０ａは、図９及び図１０に示すように、下端部が筒体４１０ａに嵌まり込む筒状の蓋体であって、上端部の周面に突出防止部材４５０ａのリング部４５１ａが嵌まり込む溝部４２１ａが形成されている。また、この基部４２０ａには、溝部４２１ａから内部にかけて貫通する貫通孔４２２ａが開設されている。この貫通孔４２２ａに、突出防止部材４５０ａの係止片４５２ａが嵌まり込み、係止される。また、基部４２０ａの内部には、突出部４３０ａの突出部本体４３１ａの突出片４３１２ａを係止するための段部４２３ａが内周面にわたって設けられている。
【００５９】
突出部４３０ａは、図９及び図１１に示すように、断面視略逆Ｕ字状の突出部本体４３１ａと、この突出部本体４３１ａに取り付けられる棒状部４３２ａとを有している。突出部本体４３１ａの上端部には、突出防止部材４５０ａの係止片４５２ａを係止する係止溝４３１１ａが設けられている。また、突出部本体４３１ａの下端部には、外周面にわたって外側に凸の突出片４３１２ａが設けられている。この突出片４３１２ａが基部４２０ａの段部４２３ａに係止されることにより、突出部４３０ａが当該基部４２０ａから脱落するのを防止している。なお、突出部本体４３１ａの上端面には棒状部４３２ａを取り付けるための取付孔４３１３ａが設けられている。
【００６０】
棒体部４３２ａは、突出部本体４３１ａの取付孔４３１３ａに取り付けられ、突出部本体４３１ａと共に筒体４１０ａ内を移動する部品である。この棒状部４３２ａの下端部は前記移動に応じて筒体４１０ａの開口４１１ａから突出可能になっている。
【００６１】
付勢手段４４０ａはコイルバネであって、突出部本体４３１ａの内部に収容される。即ち、突出部本体４３１ａと筒体４１０ａとの間に介在し、突出部本体４３１ａを基部４２０ａから突出させる方向に付勢する。
【００６２】
突出防止部材４５０ａは、突出部本体４３１ａの溝部４２１に係合される略Ｃ字状のリング部４５１ａと、このリング部４５１ａの中心部に設けられた係止片４５２ａと、リング部４５１ａから垂直に立設されたレバー部４５３ａとを有している。リング部４５１ａを基部４２０ａの溝部４２１に係合させると共に、係止片４５２ａを当該基部４２０ａの貫通孔４２２ａに挿入し、突出部４３０ａの係止溝４３１１ａに係止させる。これにより突出部４３０ａが基部４２０ａから突出するのを防止することができる。
【００６３】
このような取付手段４００ａを用いて回動部２００ａを取付部１００ａに取り付ける場合、図９に示すように、突出部４３０ａを取付部１００ａの水平部１２０ａの開口１２１ａに位置合わせをしつつ、突出防止部材４５０ａのレバー部４５３ａを水平部１２０ａに当接させて図示左方向に移動させる。すると、突出防止部材４５０ａの係止片４５２ａと突出部４３０ａの係止溝４３１１ａとの係止が外れ、突出部４３０ａが付勢手段４４０ａの付勢力により突出して水平部１２０ａの開口１２１ａに嵌まり込む。これにより上側の取付構造Ａの回動部２００ａが取付部１００ａに回動扉２０と共に取り付けられ、支持される。その後、筒体４１０ａの下端部に下キャップ４１２ａを取り付ける。
【００６４】
このような回動扉の取付構造であっても、実施例１と同様の効果を得ることができる。しかも、取付手段３００ａの代わりに取付手段４００ａを用いると、部品点数を少なくすることができることから低コスト化を図る上で非常にメリットがある。
【００６５】
この回動扉の取付構造については、回動扉２０の枠体１０に対する取付位置を回動扉の厚み方向、幅方向、長さ方向に位置調整可能であるとしたが、少なくとも回動扉の厚み方向又は回動扉の長さ方向に位置調整可能であれば良い。即ち、嵌合部をベース部に対して少なくとも回動扉の厚み方向に移動自在にする移動手段又は取付部の前記回動部に対する支持位置を高さ調整可能にする高さ調整手段を備えていれば良い。
【００６６】
移動手段２３０ａ、ｂについては、ベース部２１０ａ、ｂに固着されており且つ回動扉の幅方向に対して斜めに設けられたレール部２３１ａ、ｂと、このレール部２３１ａ、ｂ上を移動可能な移動部２３４ａ、ｂと、嵌合部２２０ａ、ｂ及び移動部２３４ａ、ｂに螺合しており且つ当該移動部２３４ａ、ｂを移動させる第１のネジ部２３５ａ、ｂとを有する限りどのように設計変更しても良い。
【００６７】
高さ調整手段２４０ｂについては、回動部２００ｂに設けられており且つ取付部１００ｂの回動軸１０１ｂが嵌まり込むネジ孔と、このネジ孔に螺合するネジであって、取付部１００ｂの回動軸１０１ｂに当接するネジ部材２４２ｂとを有する限りどのように設計変更しても良い。例えば、回動部２００ｂのベース部２１０ｂの開口２１３ｂにネジ溝を切ってネジ孔を設けるようにしても良し、筒体２４１ｂをベース部２１０ｂに一体的に設けるようにしても良い。
【００６８】
取付手段３００ａについては、上面開口の筒体３１０ａと、筒体３２０ａに移動自在に嵌まり込む突出部３３０ａと、この突出部３３０ａを筒体３１０ａの開口から突出する方向に付勢する付勢手段３４０ａと、突出部３３０ａが筒体３１０ａから突出するのを防止する突出防止部材３５０ａとを有している限りどのように設計変更しても良い。
【００６９】
また、ここでは、異なる構造の上側の取付構造Ａと下側の取付構造Ｂとを用いるとしたが、同じ構造の上側、下側の取付構造を用いることも勿論可能である。この場合、上側、下側の取付構造Ａ、Ｂのいずれか一方の取付構造を用いるようにすれば良い。
【図面の簡単な説明】
【００７０】
【図１】本発明の第１の実施の形態に係る回動扉の取付構造の回動扉及び枠体との取付関係を示す模式的正面図である。
【図２】同取付構造の下側の取付構造の斜視図である。
【図３】同下側の取付構造の取付状態を示す図であって、( ａ) が縦断面図、( ｂ) が横断面図である。
【図４】同下側の取付構造の高さ調整手段を断面図で示した正面図であって、( ａ) が調整前の図、( ｂ) が調整後の図である。
【図５】同取付構造の分解斜視図である。
【図６】同取付構造の上側の取付構造の斜視図である。
【図７】同上側の取付構造の取付手段を断面図で示した正面図であって、( ａ) が取付前の図、( ｂ) が取付後の図である。
【図８】同上側の取付構造の分解図である。
【図９】本発明の第２の実施の形態に係る回動扉の取付構造の上側の取付構造の高さ調整手段を断面図で示した正面図であって、( ａ) が調整前の図、( ｂ) が調整後の図である。
【図１０】同上側取付構造の高さ調整手段の基部の上端部を示す図であって、( ａ) が平面図、( ｂ) が左半分を断面図で示した正面図である。
【図１１】同上側取付構造の高さ調整手段の取付部の上端部を示す図であって、( ａ) が平面図、( ｂ) が左半分を断面図で示した正面図である。
【符号の説明】
【００７１】
１０                枠体
２０                回動扉
１００ａ、１００ｂ  取付部
１２０ａ、１２０ｂ  水平部
２００ａ  ２００ｂ  回動部
２１０ａ、２１０ｂ  ベース部
２２０ａ、２２０ｂ  嵌合部
２３０ａ、２３０ｂ  移動手段
２４０ｂ            高さ調整手段
【図１】
2006037419.tif 000003
【図２】
2006037419.tif 000004
【図３】
2006037419.tif 000005
【図４】
2006037419.tif 000006
【図５】
2006037419.tif 000007
【図６】
2006037419.tif 000008
【図７】
2006037419.tif 000009
【図８】
2006037419.tif 000010
【図９】
2006037419.tif 000011
【図１０】
2006037419.tif 000012
【図１１】
2006037419.tif 000013